(57)【特許請求の範囲】
【請求項１】
表面に剥離剤を有する長尺状の台紙と、
該台紙の長手方向に複数仮着され、表面に印字された値下げ情報を含むバーコードおよび裏面に粘着剤を備えるラベル本体と、
前記ラベル本体から外側に突出するようにその一部が前記粘着剤に貼着または仮着された目隠し片と、
を有し、
前記目隠し片は、台紙の長手方向に平行な二つのスリットまたはミシン目により区画され、
前記ラベル本体は、目隠し片にラベル本体の一部が重なるように仮着されていることを特徴とするラベル。
【請求項２】
前記目隠し片には剥離剤が設けられ、該剥離剤上に前記粘着剤を介して前記目隠し片が仮着されていることを特徴とする請求項１記載のラベル。
【請求項３】
前記ラベル本体には、貼替え防止用のスリットが施されていることを特徴とする請求項１または２に記載のラベル。
【請求項４】
前記目隠し片は、一旦剥がして前記ラベル本体の異なる位置に仮着することによって突出方向または突出長さの少なくともいずれかを変更可能であることを特徴とする請求項１ないし３のいずれかに記載のラベル。
【請求項５】
商品に付された元売価を含むバーコードの上に前記目隠し片を重ねて貼付するラベルであって、前記目隠し片の幅長さは、前記ラベル本体の辺の長さよりも短く、前記元売価を含むバーコードの天地方向の長さよりも長いかまたは同一であることを特徴とする請求項１ないし４のいずれかに記載のラベル。
【請求項６】
表面に印字された値下げ情報を含むバーコードおよび裏面に粘着剤を備えるラベル本体と、
前記ラベル本体から外側に突出するようにその一部が前記粘着剤に貼着または仮着された目隠し片を有するラベルの貼付方法であって、
前記目隠し片は、一旦剥がして前記ラベル本体の異なる位置に再仮着することによって突出方向または突出長さの少なくともいずれかを変更可能であり、
商品に対して元売価を含むバーコードが付された位置に応じて、前記目隠し片の突出方向または突出長さの少なくともいずれかを変更し、
商品に付された元売価を含むバーコードの少なくとも一部を目隠し片によって覆い隠すように重ねた状態で前記粘着剤で貼付することを特徴とするラベルの貼付方法。
【請求項７】
前記元売価を含むバーコードは、商品に貼付された元売価ラベルに商品名等の視認情報とともに印字されており、前記目隠し片は、前記視認情報を隠すことなく、前記元売価を含むバーコードのみを隠すように重ねた状態で貼付することを特徴とする請求項６記載のラベルの貼付方法。
【発明の詳細な説明】
【技術分野】
【０００１】
本発明は、商品の値下げ（見切り、割引、値引きとも呼ばれる）を行うのに適したラベルおよびラベルの貼付方法に関する。
【背景技術】
【０００２】
例えばスーパー等において商品の値下げによる販売が行われている。特に生鮮食品においては消費期限（または賞味期限）が近づくと値下げを行い、見切り商品として販売することが行われている。このような見切り商品においてレジの操作者が値下げ処理を忘れるとトラブルの原因となるため、レジの操作者が値下げ処理を忘れることを防止するラベルの発行貼付方法および値引き方法が知られている（例えば特許文献１参照）。
【０００３】
特許文献１において、見切り後のバーコードが印字されたコード表示部と「表示価格より２００円引き」等の表記により値下げ情報を認識させる視認部を切断線を介して設けた見切り後のラベルが用いられている。商品に貼付された元売価ラベルのバーコードの上に見切り後のバーコードが印字されたコード表示部を重ねて貼り付けることで元売価ラベルのバーコードがレジのスキャナで読み込まれることを防止し、かつコード表示部に印字された見切り後のバーコードを読み込むことでレジでの値下げ処理を確実に行えるようにした方法が開示されている。また、視認部は商品の目立つ部分に貼付され、見切り商品であることをアピールする用途として用いられている。
しかしながら、特許文献１におけるコード表示部は矩形であって元売価ラベルのバーコードを全て覆い隠すように重ねて貼付されるため、元売価ラベルの印字レイアウト（バーコードの印字位置）が変わることによって元売価ラベルに表示されたバーコード以外の商品名、消費期限や商品の原材料、原産地、加工年月日など必要な情報がコード表示部によって隠れてしまうという問題がある。
【０００４】
【特許文献１】特開２００２−３５８０１４号公報
【発明の開示】
【発明が解決しようとする課題】
【０００５】
本発明は斯かる問題点に鑑みてなされたものであり、その目的とするところは、元売価ラベルに表示された情報のうち所望の情報（例えばバーコード）のみを隠すことができるラベルとラベルの貼付方法を提供する点にある。
【課題を解決するための手段】
【０００６】
本発明に係るラベルは、表面に剥離剤を有する長尺状の台紙と、該台紙の長手方向に複数仮着され、表面に印字された値下げ情報を含むバーコードおよび裏面に粘着剤を備えるラベル本体と、前記ラベル本体から外側に突出するようにその一部が前記粘着剤に貼着または仮着された目隠し片と、を有し、前記目隠し片は、台紙の長手方向に平行な二つのスリットまたはミシン目により区画され、前記ラベル本体は、目隠し片にラベル本体の一部が重なるように仮着されていることを特徴とする。
また、前記目隠し片には剥離剤が設けられ、該剥離剤上に前記粘着剤を介して前記目隠し片が仮着されていることを特徴とする。
また、前記ラベル本体には、貼替え防止用のスリットが施されていることを特徴とする。
また、商品に付された元売価を含むバーコードの上に前記目隠し片を重ねて貼付するラベルであって、前記目隠し片の幅長さは、前記ラベル本体の辺の長さよりも短く、前記元売価を含むバーコードの天地方向の長さよりも長いかまたは同一であることを特徴とする。
また、本発明に係るラベルの貼付方法は、表面に印字された値下げ情報を含むバーコードおよび裏面に粘着剤を備えるラベル本体と、前記ラベル本体から外側に突出するようにその一部が前記粘着剤に貼着または仮着された目隠し片を有するラベルの貼付方法であって、前記目隠し片は、一旦剥がして前記ラベル本体の異なる位置に再仮着することによって突出方向または突出長さの少なくともいずれかを変更可能であり、商品に対して元売価を含むバーコードが付された位置に応じて、前記目隠し片の突出方向または突出長さの少なくともいずれかを変更し、商品に付された元売価を含むバーコードの少なくとも一部を目隠し片によって覆い隠すように重ねた状態で前記粘着剤で貼付することを特徴とする。
また、前記元売価を含むバーコードは、商品に貼付された元売価ラベルに商品名等の視認情報とともに印字されており、前記目隠し片は、前記視認情報を隠すことなく、前記元売価を含むバーコードのみを隠すように重ねた状態で貼付することを特徴とする。
【発明の効果】
【０００７】
商品に付された元売価情報を含むバーコードの一部を目隠し片によって覆い隠すように重ね、目隠し片が仮着されていない領域の表出する粘着剤によって商品上にラベルを貼付することで、目隠し片によってバーコードの読み取りを不能とし、レジでの値引き忘れを防止することができる。
また、ラベル本体に貼替え防止用のスリットを形成することで、剥がした際にラベル本体が破れるので不正目的で割引対象外の製品に貼替えることを防止できる。
また、ラベル本体に対して異なる位置に目隠し片を仮着することでラベル本体に対する突出方向または突出長さの少なくともいずれかを変更可能とすることによって、値下げにともなう不要な情報としての元売価情報が含まれるバーコードのみを隠し、必要な視認情報を隠すことなく貼付することができる。
また、長尺状の台紙の長手方向に平行な二つのスリットまたはミシン目により区画することで目隠し片を形成したことで、ラベル製造における搬送の過程に刃を入れるだけで簡単に目隠し片を構成するスリットまたはミシン目を形成することができる。
【発明を実施するための最良の形態】
【０００８】
以下、本発明の実施の形態を図面に基づいて詳細に説明する。
【０００９】
図１は商品に貼付される元売価ラベルの一実施形態の構成を示す図である。図２は本発明に係るラベルの実施の形態の構成を示す図であり、（ａ）は平面図、（ｂ）Ａ−Ａ線上における断面図である。図３は図１に示すラベルを複数配置したロール状ラベルの構成を示す斜視図である。
【００１０】
図１に示すように元売価ラベル２０は、その表面に商品名、原産地、加工年月日、消費期限、商品の内容量、価格、販売者等の視認情報と、値下げ前の元売価情報を含むバーコード２１が印字されており、裏面の粘着剤によって商品（の容器）７「豚肉  小間切れ」に貼付される。尚、図１の元売価ラベル２０に印字されている視認情報は、一例であって商品の種類等によって異なり、例えば加工食品であれば上述した情報に加え原材料やアレルギー物質、食品添加物、保存方法などの情報が必要に応じて追記される。また、バーコード２１は、商品の容器に直接印刷されていても良い。
【００１１】
図２に示すように本発明にかかるラベル１は、値下げ価格情報を含むバーコード２および「表示価格の２０％引」との値引きの視認情報が印字されたラベル本体３と、ラベル本体３の裏面に設けられた粘着剤５と、この粘着剤５の一部に仮着された目隠し片４を有している。また、値引きの視認情報は、一例として「表示価格の２０％引」としたが、「表示価格の半額」「表示価格より５０円引き」「表示価格の３割引き」などの値下げ幅を示す情報や「値下げ後価格￥１９８」などの値下げ後の価格自体を示す情報であっても良い。
【００１２】
また、ラベル本体３の四方周辺の内側に例えば赤色や黄色などの目立つ色で囲んで印刷された輪郭６が設けられ、このラベル１が貼付された商品７が値引き対象であることを消費者にアピールできるようになっている。また、バーコード２は、値下げ価格情報に加えて値下げ前の価格情報を含ませることもでき、このバーコードをレジのスキャナで読み取ることによって値下げ前の価格（４８０円）および値下げ後の価格（３８４円）やその差額から値下げ額（９６円）をレジにてレシートに印字すること等もできる。
【００１３】
また、目隠し片４は、長手方向の一端側がラベル本体３よりも外側に突出し、他端側の一部を粘着剤５に仮着されている。また、目隠し片４の突出部分の幅長さＬ２は、ラベル本体３の四辺のうち少なくとも１つの辺（目隠し片４が突出する側の辺）の長さＬ１よりも短く、かつバーコード２１の天地方向の長さＬ３よりも長く形成されている。
【００１４】
図３は、ラベル本体３に対してバーコード２や値引きの視認情報をプリンタで印字可能とするロール状ラベル１０の概略斜視図を示している。ロール状ラベル１０は、表面にシリコーンなどの剥離剤１３を有する長尺状の台紙１１と、この台紙１１上に複数のラベル本体３を長手方向に一定間隔を開けて仮着して構成されている。目隠し片４は、台紙１１に形成されたスリット１２（切れ目）によって囲まれて区画され台紙１１の一部として構成され、台紙１１から分離可能に設けられている。ラベル本体３を台紙１１から剥離すると粘着剤５によって目隠し片４がラベル本体３に保持され、スリット１２によって目隠し片４が台紙１１から分離し、ラベル本体３とともに目隠し片４が引き剥がされ、図２に示すように剥離剤１３を介してラベル本体３に仮着された状態となる。
【００１５】
このラベル１を用いて値下げを行う方法について説明する。図４は、ラベルの貼付方法を説明する説明図を示す。
図４に示すように商品７に貼付された元売価ラベル２０のバーコード２１の一部をラベル１の目隠し片４によって覆い隠すように重ね、（目隠し片４が仮着されていない領域の）表出する粘着剤５によって商品７（および元売価ラベル２０）上にラベル１を貼付する。このように目隠し片４によって元売価ラベル２０のバーコード２１を隠すことでバーコード２１の読み取りを不能とすることができる。すなわち、レジの操作者が元売価ラベル２０のバーコード２１をスキャナで読み取ろうとしたときに読み取りエラーを発生させることができるので値下げ前の価格がレジに入力されてしまうことを確実に防止することができ、かつラベル１に印字された値下げ価格情報を含むバーコード２を読み取るだけで値下げ価格をレジに入力することができる。尚、バーコード２１の全てを覆い隠すように貼付しても良く、バーコード２１の読み取りを不能とする目的であれば、前述のように少なくともバーコード２１の一部を隠すように重ねた状態で貼付すれば良い。
【００１６】
また、目隠し片４は、台紙１１と同様にその表面に剥離剤１３が設けられているのでラベル本体３の粘着剤５から簡単に剥がすことができ、そのラベル本体３に対する突出方向をラベル本体３上の異なる位置に変更して貼り替えることができる。図５は、目隠し片の突出方向をラベル本体の右側に変更したラベルを商品に貼付した状態の図で、図６は目隠し片の突出方向をラベル本体に対して任意の方向に変更したラベルの説明図である。
【００１７】
図２〜４におけるラベル１では、ラベル本体３の左側辺から突出させたが、図５に示すように目隠し片を他の側辺である右側辺から突出させるようにラベル本体３に対する貼付位置を変更することで突出方向を変更することができる。図５に示す商品７に貼付された元売価ラベル２０は、商品７の右側端部近傍に貼付され、かつバ−コード２１が元売価ラベル２０内の左側に印字されているため、例えば点線に示すようにラベル本体３の左側辺から目隠し片４が突出したラベル１を貼付すると元売価ラベル２０の視認情報（原産地情報である「国産」と商品名の一部である「間切れ」）がラベル本体３によって隠れてしまう。しかしながら、目隠し片４を一旦ラベル本体３から剥離し、図５の実線で示すようにラベル本体３の右側辺から目隠し片４を突出させて仮着した状態のラベル１を元売価ラベル２０のバーコード２１に目隠し片４が重なる位置に貼付することによって、元売価ラベル２０上の必要な情報（視認情報）を隠さず、不要な情報（バーコード２１）のみを隠すことができる。
【００１８】
また、同様にラベル本体３に対して異なる位置に目隠し片４を仮着することによって任意の方向に変更することができる。例えば図６に示すようにラベル本体３の上側辺から突出する目隠し片４Ａ、またはラベル本体３の下側辺から突出する目隠し片４Ｂ、またはラベル本体３のコーナーから突出する目隠し片４Ｃなど、ラベル本体３から突出する目隠し片をいずれかの位置に配置することで任意の位置に変更することができる。尚、ロール状ラベル１０の台紙１１へのスリット１２の方向を予め変更して製造すれば、目隠し片４がラベル本体３から突出する初期の突出位置を変えることもできる。
【００１９】
また、ラベル１に対する印字方向を変えることで目隠し片４の突出方向を事実上変更することもできる。図７は、印字による目隠し片の突出方向を変更する方法を説明する説明図であり、（ａ）は図３に示すロール状ラベル１０から引き出されたラベルの平面図を示し、（ｂ）は搬送方向下流側を印字情報の頭側として印字したラベル１Ａの平面図を示し、（ｃ）は搬送方向上流側を印字情報の頭側として印字したラベル１Ｂの平面図を示している。
【００２０】
図７（ａ）における矢印方向は、図示しないプリンタによって搬送される搬送方向であって、矢印とは逆の搬送方向上流側から矢印方向の下流側に向けて搬送される。プリンタにより印字する印字情報の頭が搬送方向上流側または下流側のいずれかとすることによって、ラベル本体３に対する目隠し片４の突出方向を事実上変更する。すなわち、図７（ａ）における搬送方向下流側が印字情報（値引きの視認情報およびバーコード２）の頭側として印字したラベル１Ａの場合は、ラベル本体３からみると図７（ｂ）に示すようにラベル本体３の左側辺の下端部から突出する位置に位置する。また、図７（ａ）における搬送方向上流側が印字情報の頭側として印字したラベル１Ｂの場合は、ラベル本体３からみると図７（ｃ）に示すようにラベル本体３の右側辺の上端部から突出する位置に位置する。このようにすることで元売価ラベル２０の商品７への貼付位置や印字レイアウト（バーコード２１や視認情報の印字位置）が変更しても、印字レイアウトに合わせて目隠し片４の突出方向を変えることができるのでラベル１によって必要な情報（視認情報）を隠さず、不要な情報（バーコード２１）のみを隠すことができる。また、目隠し片４のラベル本体３に対する位置を貼り替える作業なしに目隠し片４の突出方向を変えることができる。
【００２１】
また、目隠し片４は、台紙１１と同様にその表面に剥離剤１３が設けられているのでラベル本体３の粘着剤５から簡単に剥がすことができ、そのラベル本体３に対する突出長さを任意に変更して貼り返ることができる。図８は、目隠し片の突出長さを長く変更した場合の説明図で、図９はラベル本体に対して突出長さを長くした目隠し片を有するラベルを商品に貼付した状態を示す図である。
【００２２】
図８（ａ）は突出長さ変更前のラベルで、（ｂ）は突出長さ変更後のラベルを示している。図８（ａ）に示すラベル１の目隠し片４をラベル本体３から一旦剥離し、図７（ｂ）に示すようにラベル本体３から突出する突出方向に向かってずらして移動させた位置に仮着位置を変更することで、その移動距離に応じた分だけ目隠し片４を突出方向に長くすることができる。
【００２３】
図９は、図８（ｂ）におけるラベルを貼付商品に貼付した状態の図を示し、同図に示すように商品７に貼付された元売価ラベル２０のバーコード２１は、元売価ラベル２０の端部から離れた略中央位置に印字されているため、例えば点線に示すように図８（ａ）のラベル本体３の左側辺から目隠し片４が短い長さだけ突出したラベル１を貼付すると視認情報（原産地情報である「国産」）がラベル本体３によって隠れてしまう。しかしながら、ラベル本体３の左側辺から目隠し片４が長く突出したラベル１を図９の実線で示すように元売価ラベル２０のバーコード２１に目隠し片４が重なる位置に貼付することによって、元売価ラベル２０上の必要な情報（視認情報）を隠さず、不要な情報（バーコード２１）のみを隠すことができる。
【００２４】
また、突出方向とは逆方向の引込方向（ラベル本体３に目隠し片４が重なる方向）に目隠し片４を配置すれば目隠し片４の突出方向の長さを短くすることもできる。また、元売価ラベル２０の商品に対する貼付位置や印字レイアウト（バーコード２１や視認情報の印字位置）に応じてラベル本体３に対する目隠し片４の突出長さに加えて前述した突出方向を変更することであらゆる状況においても元売価ラベル２０上の必要な情報（視認情報）を隠さず、不要な情報（バーコード２１）のみを隠すことができる。
【００２５】
また、ロール状ラベル１０におけるスリット１２を搬送方向（長手方向）に平行に形成することによって、ラベル製造を容易とすることもできる。図１０は、第二の実施の形態におけるロール状ラベル３０を示す概略斜視図で、図１１は印字後のラベルの平面図である。
【００２６】
ロール状ラベル３０は、表面にシリコーンなどの剥離剤１３を有する台紙１１と、この台紙１１上に複数のラベル本体３を長手方向に一定間隔を開けて仮着して構成されている。目隠し片４は、台紙１１に形成された矢印で表す搬送方向に平行な２つのスリット３１、３１（切れ目）に挟まれて台紙１１の一部として構成され、切り離し可能に設けられている。隣り合うラベル本体３の間の二点鎖線の位置でプリンタのカッタによってそれぞれ切断することで単葉状に切り離すことが可能となっている。スリット３１、３１は、ラベルの搬送方向に平行に連続して形成してあるため、ラベル製造上容易とすることができる。
【００２７】
図１１に示すように目隠し片４の両端にある台紙１１から剥離することで目隠し片４を有するラベル３３として形成される。このように構成されたラベル３３は、必要に応じて前述した目隠し片４の長さや突出方向が変更され、元売価ラベル２０のバーコード２１を目隠し片４で隠すように商品に貼付される。
【００２８】
以上のように本実施の形態におけるラベルにおいて商品７に貼付された元売価ラベル２０のバーコード２１の一部をラベル１の目隠し片４で覆い隠すように重ね、（目隠し片４が仮着されていない領域の）表出する粘着剤５によって商品７上にラベル１を貼付することによりバーコード２１の読み取りを不能とすることができ、レジの操作者が元売価ラベル２０のバーコード２１をスキャナで読み取ろうとしたときに読み取りエラーを発生させることができるので値下げ前の価格（元売価）がレジに入力されてしまうことを確実に防止することができる。また、ラベル本体３には値下げ情報を含むバーコード２を印字しているので、元売価ラベル２０に重ねて貼付したラベル１のバーコード２を読み取るだけで値下げ価格をレジに入力することができる。
また、目隠し片４の突出部分の幅長さＬ２をラベル本体３の辺の長さＬ１よりも短いので目隠し片４の面積をラベル本体３で隠す場合に比べて小さくすることができ、元売価ラベル２０上に貼付した際に元売価ラベル２０の視認情報（商品名、原産地、加工年月日、消費期限、商品の内容量、価格、販売者等）を隠す恐れが低い。また、目隠し片４の突出部分の幅長さＬ２を元売価ラベル２０のバーコード２１の天地方向の長さＬ３と同一かまたは長くすることによって、目隠し片４によりバーコード２１を読み取りできないように隠すことができる。
また、目隠し片４の表面に剥離剤１３が設けられているためラベル本体３から目隠し片４を剥がし、値下げ以外の目的としてラベル本体３を使用することもできる。
また、一般的なラベルにおいて破棄される台紙１３の一部を目隠し片４として活用することにより、別途目隠し片４のラベルを設ける必要がなく、製造コストを抑えることができる。
また、目隠し片４のラベル本体３に対する突出方向や突出長さを変更することが出来るので元売価ラベル２０の印字レイアウト（バーコード２１や視認情報の印字位置）の自由度が増す。
【００２９】
尚、元売価ラベル２０の元売価情報を含むバーコード２１は、ＮＯＮ−ＰＬＵ（ＮＯＮ−Ｐｒｉｃｅ  Ｌｏｏｋ  Ｕｐ）でも、商品コードや商品の単価のデータが入力されたストアコントローラに問い合わせることによって価格情報をレジで認識するＰＬＵ（Ｐｒｉｃｅ  Ｌｏｏｋ  Ｕｐ）であっても良い。
【００３０】
プリンタで印字可能とするためにロール状ラベル１０、３０で説明したが、これに限らず折りたたみ状としたファンフォールドラベルであっても良い。また、ラベル本体３に不正貼替え防止のスリットを形成しても良い。また、台紙１１に形成したスリット１２、３１はミシン目でも良く、スリットとミシン目の組み合わせでも良い。また、台紙１１に対するラベル本体３の仮着方向は任意の位置に変更することもできる。また、目隠し片４がラベル本体３から剥がれないように、目隠し片４の剥離剤１３が設けられていない側の面を粘着剤５に貼着するようにしても良い。
【００３１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３２】
【図１】商品に貼付される元売価ラベルの実施形態の構成を示す図である。
【図２】本発明に係るラベルの実施の形態の構成を示す図
【図３】図１に示すラベルを複数配置したロール状ラベルの構成を示す斜視図である
【図４】ラベルの貼付方法を説明する説明図である。
【図５】目隠し片の突出方向をラベル本体の右側に変更したラベルを商品に貼付した状態の図
【図６】目隠し片の突出方向をラベル本体に対して任意の方向に変更したラベルの説明図である。
【図７】印字による目隠し片の突出方向を変更する方法を説明する説明図である。
【図８】目隠し片の突出長さを長く変更した場合の説明図である。
【図９】突出長さを長くした目隠し片を有するラベルを商品に貼付した状態を示す図である。
【図１０】第二の実施の形態におけるロール状ラベルを示す概略斜視図である
【図１１】第二の実施の形態における印字後のラベルの平面図である。
【符号の説明】
【００３３】
１    ラベル
２    バーコード
３    ラベル本体
４    目隠し片
５    粘着剤
６    輪郭
７    商品
１０  ロール状ラベル
１１  台紙
１２  スリット
１３  剥離剤
２０  元売価ラベル
２１  バーコード
３０  ロール状ラベル
３１  スリット
３３  ラベル
【図１】
0005187946.tif 000002
【図２】
0005187946.tif 000003
【図３】
0005187946.tif 000004
【図４】
0005187946.tif 000005
【図５】
0005187946.tif 000006
【図６】
0005187946.tif 000007
【図７】
0005187946.tif 000008
【図８】
0005187946.tif 000009
【図９】
0005187946.tif 000010
【図１０】
0005187946.tif 000011
【図１１】
0005187946.tif 000012